【手続補正書】
【提出日】平成26年6月2日(2014.6.2)
【手続補正１】
【補正対象書類名】特許請求の範囲
【補正対象項目名】全文
【補正方法】変更
【補正の内容】
【特許請求の範囲】
【請求項１】
セルラー及びマルチホップ、非セルラーネットワーク上でデータを伝達する方法であって、
セルラー及びマルチホップ、非セルラーネットワークの他のセルラー装置のために第１の中継セルラー装置が中継器として利用可能にすることを、前記第１の中継セルラー装置において決定し、；
前記第１の中継セルラー装置が中継器として利用可能にすることを決定することに応答して、前記セルラー及びマルチホップ、非セルラーネットワークの他のセルラー装置のために前記第１の中継セルラー装置の中継器としての利用可能性を示す第１のノード状態信号を前記第１の中継セルラー装置の非セルラーインターフェースから送信し、；
前記第１の中継セルラー装置から送信された前記第１のノード状態信号を発信セルラー装置の非セルラーインターフェースを使用して受信し、；
前記セルラー及びマルチホップ、非セルラーネットワークの前記第１の中継セルラー装置を介して前記発信セルラー装置がセルラーネットワークの基地局に無線で接続することを前記第１のノード状態信号に基づいて前記発信セルラー装置において決定し、；かつ、
前記第１の中継セルラー装置を介して前記発信セルラー装置がセルラーネットワークの前記基地局に無線で接続することを決定することに応答して、
前記第１の中継セルラー装置を介して前記発信セルラー装置から前記基地局に送信するためのアップリンクデータを送信し、又は、
前記第１の中継セルラー装置を介して前記発信セルラー装置において前記基地局からダウンリンクデータを受信する、
ことを含むことを特徴とする方法。
【請求項２】
請求項１に記載の方法において、前記セルラー及びマルチホップ、非セルラーネットワークの前記第１の中継セルラー装置を介して前記発信セルラー装置が前記セルラーネットワークの前記基地局に無線で接続することを決定することが、
前記基地局の第１のセルラー信号強度を、前記発信セルラー装置を使用して検知し、；
別の基地局の第２のセルラー信号強度を、前記発信セルラー装置を使用して検知し、かつ、
前記第１のセルラー信号強度及び前記第２のセルラー信号強度の比較に基づいて、前記セルラー及びマルチホップ、非セルラーネットワークの前記第１の中継セルラー装置を介して前記発信セルラー装置が、前記セルラーネットワークの前記基地局に無線で接続すること、を前記発信セルラー装置において決定する、
ことを含むことを特徴とする方法。
【請求項３】
請求項１及び請求項２のいずれか一項に記載の方法において、
前記セルラー及びマルチホップ、非セルラーネットワークの他のセルラー装置のために第２の中継セルラー装置が中継器として利用可能にすることを、前記第２の中継器セルラー装置において決定し、；
前記第２の中継器セルラー装置が中継器として利用可能にすることを決定することに応答して、前記セルラー及びマルチホップ、非セルラーネットワークの他のセルラー装置のために前記第２の中継セルラー装置の中継器としての利用可能性を示す第２のノード状態信号を前記第２の中継セルラー装置の非セルラーインターフェースから送信し、；
前記第２の中継セルラー装置から送信された前記第２のノード状態信号を前記発信セルラー装置の前記非セルラーインターフェースを使用して受信し、かつ、
前記第１の中継セルラー装置を介して前記発信セルラー装置が前記セルラーネットワークの基地局に無線で接続することを決定することは、前記第１のノード状態信号に基づく情報及び前記第２ノード状態信号に基づく情報を前記発信セルラー装置において比較して、前記第１の中継セルラー装置及び前記第２の中継セルラー装置から選択すること、であることを特徴とする方法。
【請求項４】
請求項３に記載の方法において、
前記発信セルラー装置及び前記第１の中継セルラー装置の間の無線接続における劣化又は前記第１の中継セルラー装置及び前記基地局の間の無線接続の劣化を前記発信セルラー装置において検知し、；
前記第１の中継セルラー装置の代わりに前記第２の中継セルラー装置を介して前記発信セルラー装置が前記セルラーネットワークの前記基地局に無線で接続することを前記検知した劣化に基づいて前記発信セルラー装置において決定する、；
ことを含むことを特徴とする方法。
【請求項５】
請求項１から請求項４のいずれか一項に記載の方法において、前記セルラー及びマルチホップ、非セルラーネットワークの他のセルラー装置のために第１の中継セルラー装置が中継器として利用可能にすることを、前記第１の中継セルラー装置において決定することは、
前記第１の中継セルラー装置における前記基地局からの各セルラー信号のセルラー信号強度を示す値と、
前記第１の中継セルラー装置における前記基地局からの各セルラー信号のセルラー信号品質を示す値と、
前記第１の中継セルラー装置における前記セルラー及びマルチホップ、非セルラーネットワークにおける他のセルラー装置から受信した各ノード状態信号と、
前記第１の中継セルラー装置における前記発信セルラー装置からの各非セルラー信号の非セルラー信号強度を示す値と、
前記第１の中継セルラー装置における前記発信セルラー装置からの各非セルラー信号の非セルラー信号品質を示す値と、
前記第１の中継セルラー装置と関連するユーザーによって支払われたセルラーサービスの金額を示す値と、
前記第１の中継セルラー装置によって蓄積されたエネルギー量を示す値と、
前記第１の中継セルラー装置の電源の型式と、
前記第１の中継セルラー装置のセルラーインターフェースに結合したアンテナの数と、
前記第１の中継セルラー装置の移動を示す値と、
時刻を示す値と、
前記基地局及び前記第１の中継セルラー装置の間のホップの数を示す値と、
前記第１の中継セルラー装置からの前記基地局との無線通信用の利用可能な帯域の量を示す値と、
に基づいて中継器として利用可能にすることを前記第１の中継セルラー装置が決定する、；
ことを特徴とする方法。
【請求項６】
請求項１から請求項５のいずれか一項に記載の方法において、前記セルラー及びマルチホップ、非セルラーネットワークの前記第１の中継セルラー装置を介して前記発信セルラー装置がセルラーネットワークの基地局に無線で接続することを前記第１のノード状態信号に基づいて前記発信セルラー装置において決定することが、
前記第１の中継セルラー装置、又は前記第１の中継セルラー装置が無線で前記基地局に接続するシンクセルラー装置における前記基地局からの各セルラー信号の強度を定量化する第１のセルラー信号強度を前記第１のノード状態信号から抽出し、；
前記発信セルラー装置における第２のセルラー信号強度を測定し、；
前記第１のセルラー信号強度が閾値量以上、前記第２のセルラー信号強度に比して大きいことを決定する、；
ことを含むことを特徴とする方法。
【請求項７】
請求項１から請求項６のいずれか一項に記載の方法において、
セルラー及びマルチホップ、非セルラーネットワークの他のセルラー装置のためにシンクセルラー装置がシンクとして利用可能にすることを、前記シンクセルラー装置において決定し、；
前記シンクセルラー装置がシンクとして利用可能にすること、を決定することに応答して、前記シンクセルラー装置の非セルラーインターフェースから第３のノード状態信号を送信することであって、前記第３のノード状態信号が、
シンクとしての前記シンクセルラー装置の前記利用可能性と、
前記シンクセルラー装置における前記基地局からの各セルラー信号の信号強度と、
前記シンクセルラー装置における前記基地局からの各セルラー信号の信号品質と、
前記基地局を動作させるセルラーネットワークキャリアの同一性と、
前記シンクセルラー装置のセルラーインターフェースに結合したアンテナの数と、
前記シンクセルラー装置の移動と、
前記シンクセルラー装置の電源の型式と、
前記シンクセルラー装置の非セルラー送信電力と、
を示すデータを含む、
ことを特徴とする方法。
【請求項８】
請求項７に記載の方法において、
前記セルラー及びマルチホップ、非セルラーネットワークの他のセルラー装置のために前記第１の中継セルラー装置が中継器として利用可能にすることを、前記第１の中継セルラー装置において決定することが、
前記シンクセルラー装置から送信した前記第３のノード状態信号を前記第１に中継セルラー装置の前記非セルラーインターフェースを使用して受信し、；
前記セルラー及びマルチホップ、非セルラーネットワークの前記シンクセルラー装置を介して前記第１の中継セルラー装置が前記セルラーネットワークの前記基地局に無線で接続することを、前記第３のノード状態信号に基づいて前記第１の中継セルラー装置において決定すること、；
を含み、
前記セルラー及びマルチホップ、非セルラーネットワークの他のセルラー装置のために前記第１の中継セルラー装置の中継器としての利用可能性を示す前記第１のノード状態信号を、前記第１の中継セルラー装置の前記非セルラーインターフェースから送信することが、
前記第１の中継セルラー装置及び前記基地局の間のホップの数と、
前記シンクセルラー装置における前記基地局からの各セルラー信号の信号強度と、
前記シンクセルラー装置における前記基地局からの各セルラー信号の信号品質と、
前記基地局を動作させるセルラーネットワークキャリアの同一性、
前記シンクセルラー装置のセルラーインターフェースに結合したアンテナの数と、
前記シンクセルラー装置の移動と、
前記第１の中継セルラー装置の電源の型式と、
前記シンクセルラー装置の電源の型式と、
前記第１の中継セルラー装置の非セルラー送信電力と、
を示すデータを前記第１のノード状態信号において送信する、；
ことを特徴とする方法。
【請求項９】
請求項１から請求項８のいずれか一項に記載の方法において、前記アップリンクデータを送信し、前記第１の中継セルラー装置を介して前記発信セルラー装置から、前記基地局への送信のためのアップリンクデータを送信することが、
前記発信セルラー装置と関連するセルラーセキュリティ識別子に基づいてセキュリティキーを前記発信セルラー装置において得ることであって、前記セキュリティキーは前記基地局と関連する前記セルラーネットワークから受信し、；
前記セキュリティキーを使用して前記基地局への送信のための前記アップリンクデータを前記発信セルラー装置において暗号化して、暗号化データを
形成し、；
前記第１の中継セルラー装置のセルラーインターフェースを介して前記暗号化データを前記基地局に送信する、；
ことを含むことを特徴とする方法。
【請求項１０】
請求項１から請求項９のいずれか一項に記載の方法において、前記セルラー及びマルチホップ、非セルラーネットワークの他のセルラー装置のために前記第１の中継セルラー装置の中継器としての利用可能性を示す前記第１のノード状態信号を、前記第１の中継セルラー装置の前記非セルラーインターフェースから送信することは、前記第１のノード状態信号をビーコンフレームとして周期的に放送することである、ことを特徴とする方法。
【請求項１１】
セルラー及びマルチホップ、非セルラーネットワークにおいて、前記ネットワークは、
セルラー及びマルチホップ、非セルラーネットワークの他のセルラー装置のために第１の中継セルラー装置が中継器として利用可能にすることを決定し、
前記第１の中継セルラー装置が中継器として利用可能にすることを決定することに応答して、前記セルラー及びマルチホップ、及び非セルラーネットワークの他のセルラー装置のために前記第１の中継セルラー装置の中継器としての利用可能性を示す第１のノード状態信号を前記第１の中継セルラー装置の非セルラーインターフェースから送信するように構成された前記第１の中継セルラー装置と、
前記第１の中継セルラー装置から送信した前記第１のノード状態信号を発信セルラー装置の非セルラーインターフェースを使用して受信し、
前記セルラー及びマルチホップ、非セルラーネットワークの前記第１の中継セルラー装置を介して前記発信セルラー装置がセルラーネットワークの基地局に無線で接続することを、前記第１のノード状態信号に基づいて前記発信セルラー装置において決定し、かつ、
前記第１の中継セルラー装置を介して前記発信セルラー装置が前記セルラーネットワークの前記基地局に無線で接続することを決定することに応答して、
前記第１の中継セルラー装置を介して前記発信セルラー装置から、前記基地局への送信のためのアップリンクデータを送信し、又は、
前記第１の中継セルラー装置を介して前記発信セルラー装置において、前記基地局からのダウンリンクデータを受信するように構成された前記発信セルラー装置と、
を有することを特徴とするネットワーク。
【請求項１２】
請求項１１に記載のネットワークにおいて、前記セルラー及びマルチホップ、非セルラーネットワークの前記第１の中継セルラー装置を介して前記発信セルラー装置が前記セルラーネットワークの前記基地局に無線で接続することを決定することは、
前記基地局の第１のセルラー信号強度を、前記発信セルラー装置を使用して検知し、
別の基地局の第２のセルラー信号強度を、前記発信セルラー装置を使用して検知し、かつ、
前記第１のセルラー信号強度及び前記第２のセルラー信号強度の比較に基づいて、前記セルラー及びマルチホップ、非セルラーネットワークの前記第１の中継セルラー装置を介して前記発信セルラー装置が前記セルラーネットワークの前記基地局に無線で接続することを、前記発信セルラー装置で決定すること、
を含むことを特徴とするネットワーク。
【請求項１３】
請求項１１及び請求項１２のいずれか一項に記載のネットワークにおいて、前記セルラー及びマルチホップ、非セルラーネットワークの他のセルラー装置のために前記第１の中継セルラー装置が中継器として利用可能にすることを、前記第１の中継セルラー装置において決定することが、
前記第１の中継セルラー装置における前記基地局からの各セルラー信号のセルラー信号強度を示す値と、
前記第１の中継セルラー装置における前記基地局からの各セルラー信号のセルラー信号品質を示す値と、
前記第１の中継セルラー装置における前記セルラー及びマルチホップ、非セルラーネットワークの他のセルラー装置から受信した各ノード状態信号と、
前記第１の中継セルラー装置における前記発信セルラー装置からの各非セルラー信号の非セルラー信号強度を示す値と、
前記第１の中継セルラー装置における前記発信セルラー装置からの各非セルラー信号の非セルラー信号品質を示す値と、
前記第１の中継セルラー装置と関連するユーザーによって支払われたセルラーサービスの金額を示す値と、
前記第１の中継セルラー装置によって蓄積されたエネルギー量を示す値と、
前記第１の中継セルラー装置の電源の型式と、
前記第１の中継セルラー装置のセルラーインターフェースに結合したアンテナの数と、
前記第１の中継セルラー装置の移動を示す値と、
時刻を示す値と、
前記基地局及び前記第１の中継セルラー装置の間のホップの数を示す値と、
前記第１の中継セルラー装置からの前記基地局との無線通信用の利用可能な帯域の量を示す値と、
に基づいて中継器として利用可能にすることを前記第１の中継セルラー装置が決定する、；
ことを特徴とするネットワーク。
【請求項１４】
請求項１１から請求項１３のいずれか一項に記載のネットワークにおいて、
前記セルラー及びマルチホップ、非セルラーネットワークの他のセルラー装置のために前記シンクセルラー装置がシンクとして利用可能にすることを決定し、；かつ、
前記シンクセルラー装置がシンクとして利用可能にすることを決定することに応答して、前記シンクセルラー装置の非セルラーインターフェースから第３のノード状態信号を送信することであって、前記第３のノード状態信号が、
シンクとしての前記シンクセルラー装置の前記利用可能性と、
前記シンクセルラー装置における前記基地局からの各セルラー信号の信号強度と、
前記シンクセルラー装置における前記基地局からの各セルラー信号の信号品質と、
前記基地局を動作させるセルラーネットワークキャリアの同一性と、
前記シンクセルラー装置のセルラーインターフェースに結合したアンテナの数と、
前記シンクセルラー装置の移動と、
前記シンクセルラー装置の電源の型式と、
前記シンクセルラー装置の非セルラー送信電力と、
を示すデータを備えてなること、
と、を有する各動作を実行するように構成されたシンクセルラー装置、
を有することを特徴とするネットワーク。
【請求項１５】
請求項１４に記載のネットワークにおいて、
前記セルラー及びマルチホップ、非セルラーネットワークの他のセルラー装置のために前記第１の中継セルラー装置が中継器として利用可能にすることを、前記第１の中継セルラー装置において決定することが、
前記シンクセルラー装置から送信した前記第３のノード状態信号を前記第１に中継セルラー装置の前記非セルラーインターフェースを使用して受信することと、
前記セルラー及びマルチホップ、非セルラーネットワークの前記シンクセルラー装置を介して前記第１の中継セルラー装置が前記セルラーネットワークの前記基地局に無線で接続することを、前記第３のノード状態信号に基づいて前記第１の中継セルラー装置において決定すること、
と、を有し、
前記セルラー及びマルチホップ、非セルラーネットワークの他のセルラー装置のために前記第１の中継セルラー装置の中継器としての利用可能性を示す前記第１のノード状態信号を、前記第１の中継セルラー装置の前記非セルラーインターフェースから送信することが、
前記第１の中継セルラー装置及び前記基地局の間のホップの数と、
前記シンクセルラー装置における前記基地局からの各セルラー信号の信号強度と、
前記シンクセルラー装置における前記基地局からの各セルラー信号の信号品質と、
前記基地局を動作させるセルラーネットワークキャリアの同一性と、
前記シンクセルラー装置のセルラーインターフェースに結合したアンテナの数と、
前記シンクセルラー装置の移動と、
前記第１の中継セルラー装置の電源の型式と、
前記シンクセルラー装置の電源の型式と、
前記第１の中継セルラー装置の非セルラー送信電力と、
を示すデータを前記第１のノード状態信号において送信する、；
ことを特徴とするネットワーク。